(57)【要約】      （修正有）【課題】ホルダー本体に装填したロールペーパーの巻き端から順次所要の長さ分だけ引き出して切り取るロールペーパーカッターを提供する。【解決手段】ロールペーパー６の巻き芯部のほぼ真下にロールペーパー受け部２とロールペーパー通過穴３が設けられ、その一端部は壁面に取り付け反対の手前側端部には鋸歯状のカッター刃４を備えた事を特徴とするロールペーパーカッター１であるため、特にロールペーパーの巻き芯部のほぼ真下にロールペーパー受け部２とロールペーパー通過穴３が設けられていることにより、ロールペーパー通過穴３から垂れ下がって来た部分を摘まんで手前側の端部のカッター刃４まで引き出して片手操作で簡単に切り取ることができる。【選択図】図２
0003202112.tif 000002
【実用新案登録請求の範囲】
【請求項１】
装填したロールペーパー（６）の巻き端から順次所要の長さ分だけ引き出して切り取るロールペーパーカッター（１）であって、ロールペーパー（６）の巻き芯部のほぼ真下にロールペーパー受け部（２）とロールペーパー通過穴（３）が設けられ、その一端部は壁面に取り付け反対の手前側端部には鋸歯状のカッター刃（４）を備えた事を特徴とするロールペーパーカッター（１）。
【請求項２】
前記カッター刃（４）は、壁面側と手前側に移動調節可能に構成されている事を特徴とする請求項１記載のロールペーパーカッター（１）。
【考案の詳細な説明】
【技術分野】
【０００１】  本考案は、トイレットペーパー等のロールペーパーを装填してその巻き端から順次所要の長さ分だけ引き出して切り取るロールペーパーカッターに関するものである。
【背景技術】
【０００２】  ホルダー本体に装填したロールペーパーの巻き端をホルダー本体の奥側下面から少しだけ常に垂れ下げておき、使用時にはその垂れ下げ部分を摘まんで手前側に所要長さ分だけ引き出し、ホルダー本体の手前側下部に位置するカッター部に引っ掛けて引き上げる片手操作で切り取る事が出来るようにしたトイレットペーパーホルダーが知られている。
【先行技術文献】
【０００３】
【特許文献】
【特許文献】  特開平８−２８０５７７号公報
【考案の概要】
【考案が解決しようとする課題】
【０００４】  前記特開平８−２８０５７７号公報に紹介されているトイレットペーパーホルダーによれば、ホルダー本体の奥側で下方に垂れ下がっているロールペーパーの巻き端を手前方向に引き出してホルダー本体の手前側下部に位置するカッター部で切ろうとした際に、引き出した部分の基部の押さえが緩いのでロールペーパーが次々と解れて来て、片手の操作では切りにくい課題が有った。
【課題を解決するための手段】
【０００５】  前記課題を解決するために本考案は、装填したロールペーパー（６）の巻き端から順次所要の長さ分だけ引き出して切り取るロールペーパーカッター（１）であって、ロールペーパー（６）の巻き芯部のほぼ真下にロールペーパー受け部（２）とロールペーパー通過穴（３）が設けられ、その一端部は壁面に取り付け反対の手前側端部には鋸歯状のカッター刃（４）を備えた事を特徴とするロールペーパーカッター（１）とする。【０００６】  更に前記カッター刃（４）は、壁面側と手前側に移動調節可能に構成されれば好ましい。
【考案の効果】
【０００７】  本考案のロールペーパーカッターは、以上のような構成であるため、特にロールペーパーの巻き芯部のほぼ真下にロールペーパー受け部とロールペーパー通過穴が設けられていることにより、ロールペーパー通過穴から垂れ下がった部分を摘まんで手前側の端部の鋸歯状のカッター刃まで引き出して、片手操作で簡単に切り取る効果の得られるものである。【０００８】  又、一度切り取ってしまえばカッター刃とロールペーパー受け部との長さ分のロールペーパーがロールペーパー通過穴より確実に垂れ下がるようになり、手でロールペーパー端部を手で確実に摘まむ事の出来る効果が得られる。【０００９】  なお、例えばトイレットペーパーであれば本考案のロールペーパーカッターを兼ね備えたロールペーパー支持筒と一体化しロールペーパーホルダーとして提供することの出来るものとなる。【０００９】  もちろん取り付け場所の関係上、手で摘まむロールペーパーの端部の長さはカッター刃が壁面側と手前側に移動調節することにより所望の長さに調節出来るものである。
【図面の簡単な説明】
【００１０】
【図１】本考案の一実施例を示す斜視図である。
【図２】本考案の図１の一使用例を示す斜視図である。
【図３】図２の側面図である。
【図４】本考案の別の実施例を示す斜視図である。
【図５】本考案の図４の一使用例を示す斜視図である。
【考案を実施するための形態】
【００１１】  本考案におけるロールペーパーカッターの大きさ、デザイン、材質、製造方法等は特に限定されないが、製造しやすいものとしては汎用性の高い板金で加工されたカッター刃も一体化されているステンレス製のものがあげられる。
【００１２】  もちろんポリプロピレンやＡＢＳ樹脂等の樹脂成形品として製作し、カッター刃も同時に成形又は後付けしたものでも大量生産に向く。
【００１３】  カッター刃においては、鋸歯状の刃部として設けたものが好ましい。
【００１４】  ロールペーパー受け部においては、使用するロールペーパーの巻き芯部のほぼ真下に来るように設けられると同時に該ロールペーパー受け部よりカッター刃寄りにロールペーパー通過穴が設けられるようにする。これによりロールペーパー端部が壁側から垂れ下がりそのロールペーパー端部を該ロールペーパー通過穴を通して下に垂れ下がて使用することが本考案の必須の形態である。
【００１５】  前記のようにロールペーパー使用時に一度ロールペーパー通過穴から垂れ下がったロールペーパー端部を手で摘まんで手前のカッター刃よりも更に使用者の方向に引き出してロールペーパーを所要の長さ分だけ切れば、自動的にカッター刃とロールペーパー受け部の距離分の丁度手で摘まみ易い長さのロールペーパー端部が垂れ下がり保持される。
以下、実施例と図に基づき説明する。
【実施例】
【００１６】  以下、本考案の一実施例を図１、図２、図３、図４及び図５で説明するがこれによって本考案は何ら限定されるものではない。【００１７】  図１は、本考案のロールペーパーカッター（１）を斜めから見た一例を示す斜視図である。Ｌ字状に曲げられネジや両面テープ等で壁面に取り付けるための壁面取付穴（５）が有り、その反対の使用者側となる端部にはカッター刃（４）が下向きに設けられている。なおそのほぼ中央部にロールペーパー受け部（２）とロールペーパー通過穴（３）が使用するロールペーパー（６）の幅よりも大きく設けられている。【００１８】  図２は、図１の使用例を示す斜視図であり壁面取付穴（５‘）にてネジ等で壁面に取り付けられるロールペーパーホルダー（７）が有り、該ロールペーパーホルダー（７）においてにおける支持筒（８）においてロールペーパー（６）が回転出来るように保持されており、ロールペーパー端部（９）が奥の壁面側からロールペーパー受け部（２）にて手前に屈曲されロールペーパー通過穴（３）を通って下に垂れ下がる状態を示している。【００１９】  図３は、図２の側面図を示しており、特にロールペーパー（６）の巻き芯部いわゆる円の中心のほぼ真下に設けられたロールペーパー受け部（２）においてロールペーパー（６）自体が屈曲して垂れ下がる態様を示す説明図である。【００２０】  図４は、本考案の別の一実施例を示す斜視図で、本考案のロールペーパーカッター（１）とロールペーパーホルダー（７）がＲ形状となったホルダーとの接合部（１０）において一体化された状態を示している。【００２１】  図５は、本考案の図４の使用例を示す斜視図であり、ロールペーパーホルダー（７）に設けられた支持筒（８）においてロールペーパー（６）が回転自在に保持されており、ロールペーパー端部（９）がＲ形状となったホルダーとの接合部（１０）に沿って、その端部がロールペーパー受け部（２）を兼用するロールペーパー通過穴（３）を通って下に垂れ下がる態様を示している。
【産業上の利用の可能性】
【００２２】  本考案のロールペーパーカッターは、ロールペーパーの巻き芯部のほぼ真下にロールペーパー受け部とロールペーパー通過穴が設けられているため、ロールペーパー通過穴から垂れ下がったロールペーパー端部を手で摘まんで手前側のカッター刃まで引き出して片手で簡単に切り取り、更に一度切り取れば、カッター刃とロールペーパー受け部との長さ分のロールペーパーがロールペーパー通過穴より垂れ下がるようになり、確実に手でロールペーパー端部を次回使用する際に手で摘む事の出来る優れたロールペーパーカッターとなる。
【符号の説明】
【００２３】１  ロールペーパーカッター    ２  ロールペーパー受け部
３  ロールペーパー通過穴    ４  カッター刃    ５、５‘  壁面取付穴
６  ロールペーパー    ７  ロールペーパーホルダー    ８  支持筒
９  ロールペーパー端部    １０  ホルダーとの接合部
【図１】
0003202112.tif 000003
【図２】
0003202112.tif 000004
【図３】
0003202112.tif 000005
【図４】
0003202112.tif 000006
【図５】
0003202112.tif 000007